(57)【特許請求の範囲】
【請求項１】
開口部に開閉蓋を備えた装置本体と、
この開閉蓋と対向する装置本体内に配置され、開閉蓋を介してテープを出し入れ自在に収容するテープの供給部と、
このテープの供給部から繰り出されたテープを挟持し、かつ所定方向へ搬送する搬送手段と、
この搬送手段を構成し、正回転駆動することによりテープの搬送をなし、逆回転駆動することによりテープを搬送路からテープ供給部方向へ逆送りする搬送駆動源と、
上記搬送手段の搬送端部に配置され、搬送されたテープで被把束物を把束する把束手段と、
上記テープ供給部におけるテープの残量を検知し、所定残量以下を検知するとともに上記開閉蓋の開放を検知したとき上記搬送駆動源の逆転を指示し、上記把束手段の把束動作中においては、その把束が終了するまで逆転開始指示を待機する逆転指示手段と
を具備したことを特徴とするテープ送り装置。
【請求項２】
開口部に開閉蓋を備えた装置本体と、
この開閉蓋と対向する装置本体内に配置され、開閉蓋を介してテープを出し入れ自在に収容するテープの供給部と、
このテープ供給部から繰り出されたテープを挟持し、かつ所定方向へ搬送する搬送手段と、
この搬送手段を構成し、正回転駆動することによりテープの搬送をなし、逆回転駆動することによりテープを搬送路からテープ供給部方向へ逆送りする搬送駆動源と、
上記搬送手段の搬送端部に配置され、搬送されたテープで被把束物を把束する把束手段と、
上記テープ供給部におけるテープの残量を検知する検知体と、
この検知体によるテープの所定残量以下の検知にもとづいて取扱い者に報知する報知手段と、
上記開閉蓋の開閉を検知するとともに、開閉蓋の開放と上記報知手段の報知とのＡＮＤ条件にもとづいて上記搬送駆動源の逆転を指示し、上記把束手段の把束動作中においては、その把束が終了するまで逆転開始指示を待機する逆転指示手段と
を具備したことを特徴とするテープ送り装置。
【発明の詳細な説明】
【０００１】
【産業上の利用分野】
本発明はたとえば、銀行営業店むけ現金管理システムとして適用される紙幣処理装置を構成し、所定枚数に分類計数した紙幣束を把束するのに必要なテープを送るテープ送り装置に関する。
【０００２】
【従来の技術】
この種の紙幣処理装置には入金された紙幣をその金種ごとに分類計数機により分類計数するとともに、この分類計数した紙幣を把束機により、５０枚あるいは１００枚ごと把束して出金できるようにしたものがある。
【０００３】
このような紙幣の把束は、テープを用いて行われる。すなわち、テープは芯軸に予め所定の直径に巻装されていて、これを装置のテープ供給部に取付け、テープ先端を装置内部に形成される搬送路に掛止し、この駆動源を駆動することによってテープは搬送路に沿って繰り出される。
【０００４】
搬送路端部には巻付機構が配置されており、ここには所定枚数に分類計数した紙幣束が待機している。この巻付機構に搬送されたテープは、巻付機構の作用で紙幣束の周囲に数回に亘って巻回され、かつ絞られた上切断される。
【０００５】
【発明が解決しようとする課題】
したがって、紙幣束に対する把束作用については何らの支障もないが、問題は多数の把束がなされた後、テープ残量がわずかになった際の新たなテープとの交換作業にある。
【０００６】
すなわち、テープ供給部には常にテープの残量を検知する手段が備えられていて、所定の残量以下になったことを検知したときは取扱い者である銀行員に報知するようになっている。
【０００７】
そこで、残量がわずかになったテープを取出して新たなテープと交換するが、このときはまだ、残量のわずかなテープの先端部は搬送路に挟持される状態にある。
【０００８】
このテープの基端部である芯軸に巻回された部分を手前側へ引っ張っただけでは、搬送路中のテープ部分が容易に切断してそのまま残り、次の作用で搬送機構部分に絡まってしまう。
【０００９】
そこで、従来はテープ送りユニット全体を一旦装置本体から引き出し、かつユニット側部を開放して搬送路を露出し、この構成部品の一部を人為的に逆回転操作をなし、テープを搬送路から抜き出すという、手間がかかって面倒な作業が必要であった。
【００１０】
本発明は上記事情にもとづきなされたものであり、その目的とするところは、残量のわずかなテープを新たなテープと交換するにあたって、その作業を簡便になすことができ、作業性の向上を図るとともに信頼性を確保するテープ送り装置を提供しようとするものである。
【００１１】
【課題を解決するための手段】
上記目的を解決するため、第１の発明のテープ送り装置は、開口部に開閉蓋を備えた装置本体と、この開閉蓋と対向する装置本体内に配置され、開閉蓋を介してテープを出し入れ自在に収容するテープの供給部と、このテープの供給部から繰り出されたテープを挟持し、かつ所定方向へ搬送する搬送手段と、この搬送手段を構成し、正回転駆動することによりテープの搬送をなし、逆回転駆動することによりテープを搬送路からテープ供給部方向へ逆送りする搬送駆動源と、上記搬送手段の搬送端部に配置され、搬送されたテープで被把束物を把束する把束手段と、上記テープ供給部におけるテープの残量を検知し、所定残量以下を検知するとともに上記開閉蓋の開放を検知したとき上記搬送駆動源の逆転を指示し、上記把束手段の把束動作中においては、その把束が終了するまで逆転開始指示を待機する逆転指示手段とを具備したことを特徴とする。
【００１２】
第２の発明のテープ送り装置は、開口部に開閉蓋を備えた装置本体と、この開閉蓋と対向する装置本体内に配置され、開閉蓋を介してテープを出し入れ自在に収容するテープの供給部と、このテープ供給部から繰り出されたテープを挟持し、かつ所定方向へ搬送する搬送手段と、この搬送手段を構成し、正回転駆動することによりテープの搬送をなし、逆回転駆動することによりテープを搬送路からテープ供給部方向へ逆送りする搬送駆動源と、上記搬送手段の搬送端部に配置され、搬送されたテープで被把束物を把束する把束手段と、上記テープ供給部におけるテープの残量を検知する検知体と、この検知体によるテープの所定残量以下の検知にもとづいて取扱い者に報知する報知手段と、上記開閉蓋の開閉を検知するとともに、開閉蓋の開放と上記報知手段の報知とのＡＮＤ条件にもとづいて上記搬送駆動源の逆転を指示し、上記把束手段の把束動作中においては、その把束が終了するまで逆転開始指示を待機する逆転指示手段とを具備したことを特徴とする。
【００１５】
【作用】
各発明は、搬送路に正逆回転駆動する搬送駆動源を備え、逆転指示手段の逆転指示にもとづいて逆転駆動し、搬送路からテープを自動的に排出する。
【００１６】
【実施例】
以下、本発明を図面に示す一実施例を参照して説明する。
図１は銀行営業店むけの現金管理システムを示すものである。このシステムはシステム全体の操作およびデータ処理を行う２台のテラーズマシン１ａ、１ｂを備えている。上記システムは、バラ紙幣の入出金を行う紙幣入出金機２、この紙幣入出金機２の余剰現金を把束して機体内に保管し、小束での紙幣の払い出しを行う把束・小束支払機３を備える。
【００１７】
さらに、バラ硬貨入金を行う硬貨入金機４、バラ硬貨の出金を行う硬貨出金機５、５０枚毎に包装された硬貨（棒金）の出金を行う棒金支払機６およびテラーズマシン置き台７を備える。
【００１８】
上記紙幣入出金機２は紙幣入金用の投入口１１、入金時のリジェクト紙幣を集積する入金リジェクトボックス１２、出金時のリジェクト紙幣を集積する出金リジェクトボックス１３、出金される紙幣が集積される出金口１４を備えている。
【００１９】
さらに、上記紙幣入出金機２の上面部には各取引の内容を印字するジャーナルプリンター１５が配置され、上記投入口１１、出金口１４、およびジャーナルプリンター１５の近傍にはそれぞれ、前述した２台のテラーズマシン１ａ，１ｂのうち、どちらのテラーズマシン１ａ，１ｂに占有されているかを示す占有ランプ１６、１７、１８が配設される。前面には機体内部にある紙幣収納庫の紙幣残量を表示する残量表示１９が配設されている。
【００２０】
上記紙幣入出金機２の上面には、把束端数を返却する把束一時庫返却扉２０があり、前面には上から入金搬送路引出扉２１、入金時に紙幣返却を行う一時集積扉２２、および紙幣収納庫を引き出す収納庫扉２３が配設されている。
【００２１】
一方、上記把束・小束支払機３は上部に小束支払用の出金扉２４をもち、この扉が開くことにより出金された小束の取り出しが可能となっている。上記出金扉２４の近傍には紙幣入出金部の占有ランプと同様の占有ランプ２５が配されている。
【００２２】
出金扉２４の上部には把束帯であるテープ交換用の開閉蓋２６があり、後述するように、残量のわずかなテープと新たなテープの交換は、この扉２６を開けて行われるようになっている。
【００２３】
そして、この開閉蓋２６の近傍位置には、把束に用いているテープの残量が所定値以下であることを後述する検知手段が検知したとき点灯して、取扱い者（銀行員）に報知するランプ３０が設けられている。
【００２４】
上記上記紙幣入出金機２、硬貨入金機４、硬貨出金機５と棒金支払機６についてはここでは説明を省略し、把束・小束支払機３の内部構成についての概略の説明をなす。
【００２５】
図２は把束・小束支払機３を側面から見た図である。
把束・小束支払機３は、図１に示す紙幣入出金機２から紙幣が送り込まれる。紙幣入出金機２から把束・小束支払機３に紙幣束が挿入されると、上段ハンド部７１ａと下段ハンド部７１ｂの２段構成の小束ハンド部７１が紙幣束を受け取りに移動する。
【００２６】
そして、図示しない紙幣クランプ機構により紙幣束をクランプし、クランプが完了すると小束ハンド部７１ａ，７１ｂは紙幣を引きづりながら紙幣リリース位置まで移動し、バックアップ機構７２が紙幣束をクランプするのを待つ。
【００２７】
バックアップ機構７２が紙幣束をクランプすると、小束ハンド機構７１ａ，７１ｂは紙幣をリリースし、待機位置へ戻る。バックアップ機構７２は、紙幣受け台７４とその上方にバックアップクランプ機構７３を持っている。
【００２８】
バックアップ機構７２は、上段紙幣受け取り位置または下段紙幣受け取り位置から移動を開始し、キャリア受け渡し位置まで移動する。そして、これと同じ高さに設定されキャリア７５によってバックアップ７２上から抜き取られる。
【００２９】
キャリア７５は前方へ移動を開始する。この前方に配された把束シャッター７６は、キャリア７５上の紙幣に押されてキャリア移動方向に回転しながら紙幣束を通過させる。そして、キャリア７５に乗った紙幣はキャリア７５によって把束機構９１に導かれる。
【００３０】
上記把束機構９１は、把束用テープ９２が繰り出される供給部９３、この供給部９３から供給されるテープ９２を搬送案内する搬送路９４、紙幣にテープ９２を巻き付ける巻付機構９５、紙幣にテープ９２を巻き付けたのちテープ９２をカットするカッタ９６を備えていて、紙幣束を把束するようになっている。
【００３１】
上記把束機構９１はまた、本発明で言うところのテープ送り装置を構成しており、図３に拡大して示す。
すなわち、テープ供給部９３は上記開閉蓋２６と対向する位置に配置され、この開閉蓋２６を開放することによりテープ９２を出し入れ自在に収容する。上記開閉蓋２６の開閉は、開口部に設けられる蓋検知体３１によって検知される。
【００３２】
上記テープ供給部９３には、一端が回動自在に枢支され、中途部がスプリング３２で引っ張り付勢されるレバー３３が設けられていて、その一部を常にテープ９２の外周面に弾性的に当接する。すなわち、レバー３３はテープ９２の直径を検知する手段をなしている。
【００３３】
さらにテープ供給部９３には、レバー３３が所定角度傾斜した位置で、この自由端が当接するエンド検知体３４が設けられる。すなわち、このエンド検知体３４は予めテープ９２の最小残量を設定し、これを検知するものであり、先に説明したランプ３０と図示しない制御回路を介して電気的に接続されていて、レバー３３の自由端が当接したとき、ランプ３０を点灯して取扱い者に報知する。
【００３４】
上記搬送路９４は、狭小の間隙を存して対向されテープ９２の両面をガイドする複数のガイド板３５…、テープ９２の走行方向を変換するガイドローラ３６、互いに転接してテープ９２を挟持搬送する複数の送りローラ３７および各ローラを回転駆動する搬送駆動源としての駆動モータ３８とから構成される。
【００３５】
上記駆動モータ３８は正逆回転駆動自在であって、正転駆動することによってテープ９２を供給部９３側から巻付機構９５側へ搬送するよう各ローラを駆動する。逆転駆動することによって、テープ９２を巻付機構９５側から供給部９３側へ搬送するよう各ローラを駆動する。
【００３６】
駆動モータ３８は、図示しない制御回路を介して上記ランプ３０と蓋検知体３１とに電気的に接続されていて、ランプ３０の点灯であるＯＮ信号と、開閉蓋２６の開放を検知する蓋検知体３１のＯＦＦ信号とのＡＮＤ条件がとれたときのみ逆転駆動する。また、ランプ３０のＯＦＦ信号（消灯）と、蓋検知体３１のＯＮ信号（蓋の閉成）とのＡＮＤ条件がとれたときのみ正転駆動するようになっている。
【００３７】
このような把束機構以下の、把束された紙幣の移動に必要な構成についての説明はここでは不要であるので、単に図示するだけに止め、説明は省略する。
次に、上記の現金管理装置を使用した取引の例を示す。
【００３８】
まず、入金取引をする場合は、入金する現金を紙幣入出金機２の投入口１１にセットする。次にテラーズマシン１ａ（１ｂ）から取り込み開始操作を行う。このようにすると、紙幣入出金機２は紙幣の計数を開始し、計数終了後、その計数結果をテラーズマシン１ａ（１ｂ）に送信する。入金操作をしているオペレータは紙幣計数中にテラーズマシン１ａ（１ｂ）の操作キーを使用して伝票金額、口座番号等の入金データを投入する。紙幣入出金機２からの計数結果と伝票金額が合致すればオペレータは完了ボタンを押下して入金取引を完了する。また、その取引内容はテラーズマシン１ａ（１ｂ）内に取り付けられているジャーナルプリンターにより記録される。
【００３９】
次に出金操作の場合、オペレータはテラーズマシン１ａ（１ｂ）から出金金額、口座番号等の出金データを投入し開始キーを押下する。紙幣入出金機２はテラーズマシン１ａ（１ｂ）からの出金要求に従って金庫４８ａ〜４８ｄ内から紙幣を出金口１１に搬送する。また、出金要求が小束の場合は把束・小束支払機から束で出金することになる。
【００４０】
把束・小束支払機においては、テープ供給部９３からテープ９２が繰り出され、この先端は搬送路９４に挟持される。駆動モータ３８は正転駆動をなし、搬送路９４に沿ってテープを搬送する。そしてテープ９２の先端が巻付機構９５に導かれると、ここに待機している所定枚数に分類計数した紙幣束の周囲に数回に亘って巻回され、かつ絞られた上、カッタ９６で切断される。
【００４１】
このようにして紙幣束をテープ９２で把束し、かつ出金すると、当然、テープ供給部９３のテープ直径が小さくなる。レバー３３はテープ直径の縮小に追従して回動し、その自由端がエンド検知体３４に接近する。
【００４２】
そして、ついにはレバー３３の自由端がエンド検知体３４に当接して、ここからＯＮ信号が発信される。これ以降の作用は、図４のフローチャート図から説明できる。
【００４３】
すなわち、エンド検知体３４がＯＮ信号を制御回路へ発信すると、そのとき巻付機構９５に把束中の紙幣束があるか否かが検出される。ここで把束中の紙幣束がある場合には、その作用を継続すべく駆動モータ３８に継続して正転駆動信号が指示される。引き続いて搬送路９４を介して巻付機構９５にテープが搬送供給され、よって把束処理が継続される。
【００４４】
巻付機構９５に把束中の紙幣束が無い場合は、駆動モータ３８に停止信号が発信されテープ９２の搬送が停止する。ついで、カッタ９６によるテープ９２のカットを含めて把束処理が終了し、ここから出金されたことを検知する。
【００４５】
そこで把束以外の処理を停止し、ランプ３０を点灯する。これを見た取扱い者は機体内の把束用テープの残量が少ないことを知り、新たなテープを用意して、開閉蓋２６を開放する。
【００４６】
これにより蓋検知体３１はＯＦＦ信号を発信する。既にランプ３０は点灯してＯＮ信号となっているので、互いのＡＮＤ条件が得られる。制御回路は駆動モータ３８に逆転信号を発信して、搬送路９４のテープ９２を供給部９３方向へ逆送する。
【００４７】
すなわち、取扱い者にとっては開閉蓋２６を開放しただけで、搬送路９４中のテープ９２が自動的に逆送りされ、全て搬送路９４から排出されるので、何らの手間も不要である。
【００４８】
テープ９２の端部が搬送路９４から排出されたことを目視確認したら、そのテープをテープ供給部９３から取出し、新たなテープを供給部に取付ける。これ以降の作業は、図５のフローチャート図から説明できる。
【００４９】
すなわち、新たなテープ９２を供給部９３に取付けて、テープの先端部を搬送路９４の基端部に繰り出す。直径の大きなテープ９２が取付けられたことで、レバー３３がエンド検知体３４から離間し、これはＯＦＦ状態に変わる。すると、エンド検知体３４と電気的に接続するランプ３０が消灯する。
【００５０】
取扱い者は、これらの状態を確認して開閉蓋２６を元のように閉成する。蓋検知体３１はＯＮ信号を発信し、ランプ３０消灯のＯＦＦ信号とのＡＮＤ条件が得られる。制御回路は駆動モータ３８に正転駆動信号を発信して、テープ９２を搬送路９４に沿って搬送することとなる。
【００５１】
ここでも、取扱い者にとっては新たなテープ９２の先端を搬送路９４にセットし、かつ開閉蓋２６を閉成しただけで、テープ９２が自動的に搬送路９４に沿って搬送されるので、何らの手間も不要である。
【００５２】
なお、上記実施例においては、駆動モータ３８に対する正転駆動と逆転駆動を指示する手段として、ランプ３０と蓋検知体３１とのＡＮＤ条件にもとづいて制御するようにしたが、これに限定されるものではなく、図６に示すような構成を採用してもよい。そして、図７に示すようなフローチャート図にもとづいて説明できる。
【００５３】
すなわち、テープ供給部９３の近傍位置にトグルスイッチ４０が設けられる。このスイッチ４０は、スイッチレバー４０ａをたとえば手前側に倒した状態で上記駆動モータ３８を正転駆動させ、反対側へ倒した状態で駆動モータを逆転駆動させる切換え制御をなす。
【００５４】
この場合、テープ９２の残量が少なくなってエンド検知体３４がＯＮし、巻付機構９５に把束中の紙幣束のない場合に駆動モータ３８を停止してランプ３０が点灯する。
【００５５】
ここで取扱い者は、新たなテープをもって開閉蓋２６を開放する。そして、トグルスイッチ４０のスイッチレバー４０ａを逆転側に倒す。駆動モータ３８は逆転駆動して、テープ９２端部を搬送路９４から排出する。
【００５６】
このテープを取出してたなテープ９２と交換し、端部を搬送路９４にセットしてから、トグルスイッチ４０のスイッチレバー４０ａを正転側に倒す。したがって、テープ９２は搬送路９４に沿って搬送されることとなり、上記実施例と同様の作用が行われる。
【００５７】
このような構成作用であると、駆動モータ３８の正逆転駆動の指示が、単純にトグルスイッチ４０を操作すればよく、先に説明したようなランプと蓋検知体とのＡＮＤ条件をとる必要がなく、制御系統が簡素化する。
【００５８】
【発明の効果】
以上説明したように第１の発明によれば、供給部から繰り出されたテープを搬送する搬送手段の搬送駆動源を正逆回転可能とし、テープの残量が所定残量以下になったことを検知したとき、搬送駆動源の逆転を指示するようにしたから、
テープ交換にあたって、搬送路にあるテープを自動的に排出でき、交換作業を簡便になすことができ作業性の向上を図るとともに、搬送路内にテープ部分が残ること無く確実に排出できるので、信頼性を確保するなどの効果を奏する。
【００５９】
第２の発明によれば、開閉蓋と対向する部位に供給部を配置し、ここから繰り出されたテープを挟持搬送する搬送手段の搬送駆動源を正逆回転可能とし、搬送されたテープで被把束物を把束し、供給部におけるテープの残量が所定残量以下になったことを検知したとき、搬送駆動源の逆転を指示するようにしたから、
残量がわずかな把束用テープを新たなテープと交換するにあたって、搬送路にあるテープを自動的に排出して交換作業を簡便になすことができ作業性の向上を図るとともに、搬送路内にテープ部分が残ること無く確実に排出できるので、信頼性を確保するなどの効果を奏する。
【００６０】
第３の発明によれば、開閉蓋と対向する部位に供給部を配置し、ここから繰り出されたテープを挟持搬送する搬送手段の搬送駆動源を正逆回転可能とし、搬送されたテープで被把束物を把束し、テープ供給部におけるテープの残量を検知し、この検知にもとづいて取扱い者に報知し、開閉蓋の開放と報知手段の報知とのＡＮＤ条件にもとづいて搬送駆動源の逆転を指示するようにしたから、
残量がわずかな把束用テープを新たなテープと交換するにあたって、搬送駆動源に対する逆転駆動指示が単純な操作で得られ、搬送路にあるテープを自動的に排出して交換作業を簡便になすことができ作業性の向上を図るとともに、搬送路内にテープ部分が残ること無く確実に排出できるので、信頼性を確保するなどの効果を奏する。
【００６１】
第４の発明によれば、開閉蓋と対向する部位に供給部を配置し、ここから繰り出されたテープを挟持搬送する搬送手段の搬送駆動源を正逆回転可能とし、搬送されたテープで被把束物を把束し、供給部におけるテープの残量を検知し、この検知にもとづいて取扱い者に報知し、この報知にもとづいて搬送駆動源の逆転を指示操作するようにしたから、
残量がわずかな把束用テープを新たなテープと交換するにあたって、搬送駆動源に対する逆転駆動指示が単純な操作で得られ、搬送路にあるテープを自動的に排出して交換作業を簡便になすことができ作業性の向上を図るとともに、搬送路内にテープ部分が残ること無く確実に排出できるので、信頼性を確保する。そして、制御系統の簡素化を図り、コストの低減に寄与するなどの効果を奏する。
【００６２】
なお、第２ないし第４の発明において、把束手段の把束動作中においては、その把束が終了するまで逆転開始指示を待機するようにしたから、テープ交換直前に至るまで把束を確実になし、信頼性の向上を図れるという効果を奏する。
【図面の簡単な説明】
【図１】本発明の一実施例である紙幣処理システムを示す外観斜視図。
【図２】図１の紙幣処理システムの把束・小束支払機を示す構成図。
【図３】図２のテープ送り装置を示す構成図。
【図４】図３の構成での、テープ残量検知から駆動モータの逆転駆動に至るフローチャート図。
【図５】テープ交換から駆動モータの正転駆動に至るフローチャート図。
【図６】他の実施例の、テープ送り装置を示す構成図。
【図７】図６の構成での、テープ残量検知から駆動モータの逆転駆動に至るフローチャート図。
【符号の説明】
２６…開閉蓋、９２…テープ、９３…供給部、９４…搬送路、３８…駆動モータ、９１…把束機構、３４…エンド検知体、３０…ランプ、３１…蓋検知体、４０…トグルスイッチ。
【図１】
0003732536.tif 000002
【図２】
0003732536.tif 000003
【図３】
0003732536.tif 000004
【図４】
0003732536.tif 000005
【図５】
0003732536.tif 000006
【図６】
0003732536.tif 000007
【図７】
0003732536.tif 000008